【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
連続して撮像される２つの静止画像が共通部分を有するようにして撮像された複数の静止画像を処理する画像処理装置であって、
前記共通部分を合成することにより前記複数の静止画像から１つの合成画像を生成する合成手段と、
前記複数の静止画像の数よりも多数のフレーム画像が取得され、且つ、前記２つの静止画像の組合せのそれぞれについて前記共通部分を挟んで前記２つの静止画像の両方に跨る少なくとも１つの領域からフレーム画像が取得されるように、前記合成画像の複数の領域からフレーム画像を取得する取得手段と、
前記取得手段が取得したフレーム画像から、前記合成画像がスクロール表示される動画像を生成する生成手段と、
を備えることを特徴とする画像処理装置。
【請求項２】
前記合成手段は、前記合成画像を生成する代わりに、前記２つの静止画像の組合せのそれぞれについて、前記共通部分を合成することにより前記２つの静止画像から部分合成画像を生成し、
前記取得手段は、前記合成画像の代わりに、前記部分合成画像から前記フレーム画像を取得する
ことを特徴とする請求項１に記載の画像処理装置。
【請求項３】
前記合成手段は、前記少なくとも１つの領域それぞれについて、前記２つの静止画像のうちの一方の静止画像の位置に近いほど当該一方の静止画像に高い重みを付けて前記２つの静止画像の前記共通部分を合成することにより前記部分合成画像を生成し、
前記取得手段は、前記少なくとも１つの領域それぞれについて、対応する部分合成画像から前記フレーム画像を取得する
ことを特徴とする請求項２に記載の画像処理装置。
【請求項４】
前記取得手段は、前記複数の静止画像それぞれの位置に対応する全ての領域から前記フレーム画像を取得し、
前記生成手段は、
前記複数の静止画像それぞれに対応する全ての領域から取得された前記フレーム画像が、対応する前記複数の静止画像の撮像順に並び、且つ、
前記２つの静止画像の組合せのそれぞれについて、前記少なくとも１つの領域から取得された前記フレーム画像が、先に撮像された静止画像に対応する領域から後に撮像された静止画像に対応する領域へ一方向にスクロール表示されるように並ぶ
ように前記動画像を生成する
ことを特徴とする請求項１乃至３のいずれか１項に記載の画像処理装置。
【請求項５】
前記生成手段は、前記複数の静止画像それぞれのＥｘｉｆ情報に含まれる撮像時刻を利用して、前記複数の静止画像それぞれに対応する全ての領域から取得された前記フレーム画像が、対応する前記複数の静止画像の撮像順に並ぶように前記動画像を生成することを特徴とする請求項４に記載の画像処理装置。
【請求項６】
前記取得手段は、前記２つの静止画像の組合せのそれぞれについて、撮像時刻の間隔が長いほど、前記共通部分を挟んで前記２つの静止画像の両方に跨る多数の領域から前記フレーム画像を取得することを特徴とする請求項１乃至５のいずれか１項に記載の画像処理装置。
【請求項７】
前記生成手段は、最初のフレーム画像を画面内符号化し、残りのフレーム画像を画面間予測符号化又は双方向予測符号化して、前記動画像を生成することを特徴とする請求項１乃至６のいずれか１項に記載の画像処理装置。
【請求項８】
前記取得手段は、前記複数の静止画像のいずれかに対応する領域から前記フレーム画像を取得する場合、対応する静止画像を当該フレーム画像として取得することを特徴とする請求項１乃至６のいずれか１項に記載の画像処理装置。
【請求項９】
前記生成手段は、前記フレーム画像として取得した前記静止画像を画面内符号化し、残りのフレーム画像を画面間予測符号化又は双方向予測符号化して、前記動画像を生成することを特徴とする請求項８に記載の画像処理装置。
【請求項１０】
前記生成手段は、前記フレーム画像として取得した前記静止画像それぞれについては、各静止画像が複数回連続して前記動画像の中で現れるように各静止画像を複数連続して並べて前記動画像を生成することを特徴とする請求項８に記載の画像処理装置。
【請求項１１】
連続して撮像される２つの静止画像が共通部分を有するようにして撮像された複数の静止画像を処理する画像処理装置の制御方法であって、
前記画像処理装置の合成手段が、前記共通部分を合成することにより前記複数の静止画像から１つの合成画像を生成する合成工程と、
前記画像処理装置の取得手段が、前記複数の静止画像の数よりも多数のフレーム画像が取得され、且つ、前記２つの静止画像の組合せのそれぞれについて前記共通部分を挟んで前記２つの静止画像の両方に跨る少なくとも１つの領域からフレーム画像が取得されるように、前記合成画像の複数の領域からフレーム画像を取得する取得工程と、
前記画像処理装置の生成手段が、前記取得工程で取得したフレーム画像から、前記合成画像がスクロール表示される動画像を生成する生成工程と、
を備えることを特徴とする制御方法。
【請求項１２】
連続して撮像される２つの静止画像が共通部分を有するようにして撮像された複数の静止画像を処理する画像処理装置のコンピュータを、
前記共通部分を合成することにより前記複数の静止画像から１つの合成画像を生成する合成手段、
前記複数の静止画像の数よりも多数のフレーム画像が取得され、且つ、前記２つの静止画像の組合せのそれぞれについて前記共通部分を挟んで前記２つの静止画像の両方に跨る少なくとも１つの領域からフレーム画像が取得されるように、前記合成画像の複数の領域からフレーム画像を取得する取得手段、
前記取得手段が取得したフレーム画像から、前記合成画像がスクロール表示される動画像を生成する生成手段、
として機能させるためのプログラム。
【請求項１３】
空間的に隣接する２つの静止画像が共通部分を有するようにして撮像された複数の静止画像を処理する画像処理装置であって、
前記複数の静止画像のうち前記共通部分を挟んで隣接する２つの静止画像の組合せのそれぞれを順次記憶する記憶手段と、
前記記憶手段に記憶された隣接する２つの静止画像について、当該隣接する２つの静止画像の前記共通部分を合成することによって得られる合成画像から、前記隣接する２つの静止画像の前記共通部分を挟んで両方の静止画像に跨る領域を切出す画像抽出手段と、
前記画像抽出手段によって切出される領域を所定方向に順次移動させることによって、前記隣接する２つの静止画像から複数の異なる領域の画像を取得し、当該複数の異なる領域の画像をそれぞれフレーム画像として出力するフレーム画像出力手段と、
前記フレーム画像出力手段によって出力される複数のフレーム画像を所定時間間隔で並べることによって前記隣接する２つの静止画像がスクロール表示される動画像を生成する生成手段と、
を備えることを特徴とする画像処理装置。
【請求項１４】
空間的に隣接する２つの静止画像が共通部分を有するようにして撮像された複数の静止画像を処理する画像処理装置の制御方法であって、
前記画像処理装置の記憶手段が、前記複数の静止画像のうち前記共通部分を挟んで隣接する２つの静止画像の組合せのそれぞれを順次記憶する記憶工程と、
前記画像処理装置の画像抽出手段が、前記記憶手段に記憶された隣接する２つの静止画像について、当該隣接する２つの静止画像の前記共通部分を合成することによって得られる合成画像から、前記隣接する２つの静止画像の前記共通部分を挟んで両方の静止画像に跨る領域を切出す画像抽出工程と、
前記画像処理装置のフレーム画像出力手段が、前記画像抽出工程において切出される領域を所定方向に順次移動させることによって、前記隣接する２つの静止画像から複数の異なる領域の画像を取得し、当該複数の異なる領域の画像をそれぞれフレーム画像として出力するフレーム画像出力工程と、
前記画像処理装置の生成手段が、前記フレーム画像出力工程において出力される複数のフレーム画像を所定時間間隔で並べることによって前記隣接する２つの静止画像がスクロール表示される動画像を生成する生成工程と、
を備えることを特徴とする制御方法。
【請求項１５】
空間的に隣接する２つの静止画像が共通部分を有するようにして撮像された複数の静止画像を処理する画像処理装置のコンピュータを、
前記複数の静止画像のうち前記共通部分を挟んで隣接する２つの静止画像の組合せのそれぞれを順次記憶する記憶手段、
前記記憶手段に記憶された隣接する２つの静止画像について、当該隣接する２つの静止画像の前記共通部分を合成することによって得られる合成画像から、前記隣接する２つの静止画像の前記共通部分を挟んで両方の静止画像に跨る領域を切出す画像抽出手段、
前記画像抽出手段によって切出される領域を所定方向に順次移動させることによって、前記隣接する２つの静止画像から複数の異なる領域の画像を取得し、当該複数の異なる領域の画像をそれぞれフレーム画像として出力するフレーム画像出力手段、
前記フレーム画像出力手段によって出力される複数のフレーム画像を所定時間間隔で並べることによって前記隣接する２つの静止画像がスクロール表示される動画像を生成する生成手段、
として機能させるためのプログラム。
【手続補正２】
【補正対象書類名】明細書
【補正対象項目名】０００１
【補正方法】変更
【補正の内容】
【０００１】
本発明は、画像処理装置、その制御方法、及びプログラムに関し、特に、撮像された複数の静止画像を処理する技術に関する。
【手続補正３】
【補正対象書類名】明細書
【補正対象項目名】００１０
【補正方法】変更
【補正の内容】
【００１０】
また、第２の本発明は、連続して撮像される２つの静止画像が共通部分を有するようにして撮像された複数の静止画像を処理する画像処理装置の制御方法であって、前記画像処理装置の合成手段が、前記共通部分を合成することにより前記複数の静止画像から１つの合成画像を生成する合成工程と、前記画像処理装置の取得手段が、前記複数の静止画像の数よりも多数のフレーム画像が取得され、且つ、前記２つの静止画像の組合せのそれぞれについて前記共通部分を挟んで前記２つの静止画像の両方に跨る少なくとも１つの領域からフレーム画像が取得されるように、前記合成画像の複数の領域からフレーム画像を取得する取得工程と、前記画像処理装置の生成手段が、前記取得工程で取得したフレーム画像から、前記合成画像がスクロール表示される動画像を生成する生成工程と、を備えることを特徴とする制御方法を提供する。
【手続補正４】
【補正対象書類名】明細書
【補正対象項目名】００１１
【補正方法】変更
【補正の内容】
【００１１】
また、第３の本発明は、連続して撮像される２つの静止画像が共通部分を有するようにして撮像された複数の静止画像を処理する画像処理装置のコンピュータを、前記共通部分を合成することにより前記複数の静止画像から１つの合成画像を生成する合成手段、前記複数の静止画像の数よりも多数のフレーム画像が取得され、且つ、前記２つの静止画像の組合せのそれぞれについて前記共通部分を挟んで前記２つの静止画像の両方に跨る少なくとも１つの領域からフレーム画像が取得されるように、前記合成画像の複数の領域からフレーム画像を取得する取得手段、前記取得手段が取得したフレーム画像から、前記合成画像がスクロール表示される動画像を生成する生成手段、として機能させるためのプログラムを提供する。
【手続補正５】
【補正対象書類名】明細書
【補正対象項目名】００５９
【補正方法】変更
【補正の内容】
【００５９】
αに基準位置間隔の相関を持たせる場合とは、次式に従い、基準位置間隔が大きければ大きく設定し（α＞１）、基準位置間隔が小さければ小さく設定する（α＜１）ことである。
α＝｜ｘ２−ｘ１｜／Δｘα１‥‥‥‥‥‥‥‥‥‥式（２）
Δｘα１：ユーザが標準（α＝１）と設定する基準位置の間隔
上式（２）によれば、分割撮像時の撮像間隔が大きい（連続して撮像された２枚の静止画像の共通部分が小さい）ほど、切出し位置変更量ｄ１が大きく設定される。
【手続補正６】
【補正対象書類名】明細書
【補正対象項目名】００６７
【補正方法】変更
【補正の内容】
【００６７】
再びＳ１５０における判定が行われ、今回は切出し位置ｘが元画像の位置に一致しないので、Ｓ１５４に進む。Ｓ１５４で、切出し部１０は、合成画像の切出し位置ｘから画像を１回切出す。これにより、図５のフレーム画像７１１が取得される。これ以降、再び切出し位置が元画像の位置に一致するまで、Ｓ１６４及びＳ１５４における処理が繰り返し実行される。これにより、図５の示すフレーム画像７１１、７１２、７１３、‥‥‥が取得される。
【手続補正７】
【補正対象書類名】明細書
【補正対象項目名】００８２
【補正方法】変更
【補正の内容】
【００８２】
以上、本実施例では、切出し部１０が切出した順にフレーム画像を並べて動画像を生成し、前記動画像群をまとめて圧縮する処理を述べた。しかし、動画像の最初と最後のフレーム画像は所定時間同じ画像が表示されるので、最初と最後のフレームを通常の静止画表示し、最初から最後のフレームに切出し位置が移動する部分だけ上述の動画像として生成し、圧縮の処理してもよい。この場合、再生時は、静止画を所定時間（繰り返し表示回数Ｎｅｄから算出）表示したあと、動画再生し、最後にまた静止画を所定時間表示する再生制御を実現するプレイリストを生成しておくことになる。この場合も、本実施例のひとつとなる。
【手続補正８】
【補正対象書類名】明細書
【補正対象項目名】００９９
【補正方法】変更
【補正の内容】
【００９９】
図６に戻り、実施例１（図１参照）と異なる部分を説明する。本実施例では、Ｓ１５２において、切出される元画像が開始画像ではないと判定された場合、Ｓ１５８に進む。
【手続補正９】
【補正対象書類名】明細書
【補正対象項目名】０１００
【補正方法】変更
【補正の内容】
【０１００】
Ｓ１５８で、制御部１８０は、切出される元画像が終了画像（最後に撮像された画像）であるか否かを判定する。終了画像である場合はＳ１６２に進み、そうでない場合はＳ１６０に進む。
【手続補正１０】
【補正対象書類名】明細書
【補正対象項目名】０１０１
【補正方法】変更
【補正の内容】
【０１０１】
Ｓ１６０で、切出し部１０は、ｉ番目の元画像を、Ｎｉ回繰り返し切出す。図８の例では、１回目にＳ１６０の処理が実行される際に画像データ１５２０が切出され、２回目にＳ１６０の処理が実行される際に画像データ１５３０が切出される。
【手続補正１１】
【補正対象書類名】明細書
【補正対象項目名】０１２４
【補正方法】変更
【補正の内容】
【０１２４】
以上の、αブレンド方式、モーフィング方式、切り替え方式による画像合成方法であれば、元画像に対応するフレーム画像は、元画像と完全に一致している。つまり、表示時間が長い画像では、歪みのない元画像を表示することができる。